(57)【要約】【課題】  郵便受に投入された封書等の郵便物が盗難されるのを防止するとともにその取出しを容易になし得るようにする。【解決手段】  郵便受Ａの受面に封書等の小型郵便物用の幅狭投入口３とそれ以外の大型郵便物用の幅広投入口６とを設置し，この幅狭投入口３の下位にトレイ１１を設置することによってボックス本体１内にそれぞれの収納部８，９を区分し，幅広投入口６から手を挿入してもトレイ１１上の小型郵便物を抜取れないようにする。トレイ１１はその前方を片持ち支持して水平設置を常態とするが，これを引出傾斜して，トレイ１１上を手探りすることなく，該トレイ１１上の郵便物の有無確認と容易な取出しができるようにする。【選択図】        図４
2005185683.tif 000002
【特許請求の範囲】
【請求項１】
ボックス本体前方の郵便受面に小型郵便物を投入する上位の幅狭投入口と大型郵便物を投入する下位の幅広投入口とによる上下に複数の投入口を配置するとともにボックス本体内の上方に上記上位の幅狭投入口用のトレイを配置することによってボックス本体内に小型郵便物用と大型郵便物用に上下に区分した複数の専用収納部を形成してなることを特徴とする郵便受。
【請求項２】
上記トレイを，ボックス本体後方の取出面側に対して傾斜自在又は引出自在に配置してなることを特徴とする請求項１に記載の郵便受。
【請求項３】
上記トレイを，ボックス本体前方の郵便受面側壁面に対向配置したスライド係合部を有する支持部材と，該支持部材位置でトレイに起立配置し上記スライド係合部に前後スライド係合自在にして前後方向に水平支持用の水平係合部及び傾斜支持用の傾斜係合部とを有するトレイ側係合部とを備えてボックス本体後方の取出面側に傾斜自在としてなることを特徴とする請求項２に記載の郵便受。
【請求項４】
上記支持部材のスライド係合部を，ボックス本体の壁面に対向配置したプレート状の支持部材に上向き水平のＵ字溝とし，上記トレイ側係合部を該トレイの幅方向両側に起立した起立壁に切欠き形成又は打抜き形成した透孔の切欠き上縁を倒Ｓ字状に画して上記Ｕ字溝に前後方向スライド自在に引掛け係合することによってトレイの水平と傾斜の角度を自在とする郵便受面側配置の傾斜切欠き縁部とこれにガイド縁部を介して連続する取出面側配置の水平切欠き縁部によるものとしてなることを特徴とする請求項３に記載の郵便受。
【請求項５】
上記トレイを，ボックス本体前方の郵便受面側壁面に対向配置した水平片と垂直片を有する支持部材と，該支持部材位置でトレイに起立配置し上記垂直片に前後スライド係合するとともに前方の郵便受面側のスライド係合位置で上記水平片の下面に上縁を水平支持し且つ後方の取出面側のスライド係合位置で該水平片の水平支持を解除して傾斜自在とする係合部付き起立壁とを備えてなることを特徴とする請求項２に記載の郵便受。
【請求項６】
上記支持部材の垂直片が，水平片より後方の取出面側に突出した横向き水平のスライド長孔を備え，上記起立壁の係合部が起立壁の側方に向けて突設した係合ピンを備え，上記スライド長孔に該係合ピンを係合するとともに該係合ピンがスライド長孔の上記水平片より取出面側に突出した位置にあるとき上記起立壁の傾斜を自在としてなることを特徴とする請求項３に記載の郵便受。
【請求項７】
上記ボックス本体が，その郵便取出面に単一の取出蓋を備え，該取出蓋を開成することによって上記複数の収納部を同時に開放自在としてなることを特徴とする請求項１に記載の郵便受。
【発明の詳細な説明】
【技術分野】
【０００１】
本発明は，郵便，新聞，宅配物等の郵便物を投入するように設置使用する郵便受に関する。
【背景技術】
【０００２】
この種郵便受は，一般にボックス本体と，該ボックス本体前方の郵便受面の上下中間位置に配置したスプリングで付勢することによって開口を常時閉塞するようにした単一の投入口と，ボックス本体後方の取出面側に配置し上端乃至側端をヒンジ連結した開閉蓋とを備えた金属製等のものとされている。
【０００３】
【特許文献１】特開２０００−３３３８１８号
【発明の開示】
【発明が解決しようとする課題】
【０００４】
この場合郵便物の投入に特段の支障はないが，開閉蓋があるとはいえ投入口は外部に開口しており，一般に新聞等の投入が可能なようにその幅は数ｃｍ程度の比較的広幅のものとされるから，投入口からボックス本体内に手を挿入することが可能であり，従ってボックス本体内の郵便物が外部から盗まれる可能性がある。郵便受によって投入受領するものは，商品カタログ，雑誌，新聞，回覧板，封書等，その厚さや面積の外径寸法が異なるもの，受領者にとって有価値や無価値の内容のもの等極めて多種にして多岐に亘るが，特に封書やハガキ等の信書の類いには，個人の秘密に属する内容のもの，各種通知書，請求書，領収書，クレジットカード等のように個人情報が記載されたものが含まれるとともに，これらが盗まれて予想外に利用される可能性もあり，この点郵便受は無防備のまま放置されているという状況にある。
【０００５】
本発明はかかる事情に鑑みてなされたもので，その解決課題とするところは，投入した郵便物，特に上記封書やハガキ等の信書の類いの盗難を防止し，そのセキュリティーを確保し得るようにした郵便受を提供するにある。
【課題を解決するための手段】
【０００６】
上記課題に添って本発明は，上記信書の類いが比較的薄く小面積の定型封筒に封入されたものか，ハガキであって，一般に小型郵便物であることから，郵便受にこの小型郵便物を専用に投入する幅狭投入口と，商品カタログ，雑誌等の比較的厚く大型の大型郵便物を専用に投入する幅広投入口の複数の投入口を配置し，このうち幅狭投入口を上位に，幅広投入口を下位にそれぞれ設置して該上位の幅狭投入口から投入した小型郵便物を載置支持するトレイをボックス本体内の上方に配置することにより，該ボックス本体内を小型と大型の郵便物用に複数の専用収納部に区分し，該上位の幅狭投入口から投入した小型郵便物をその専用の収納部をなすトレイ上に受けて，これが大型郵便物専用の収納部に落下してこれと混在するのを防止し，数ｃｍ程度の幅をなす幅広投入口から手を挿入しても，トレイによって仕切られた該トレイ上の小型郵便物を抜き取ることができないようにして，その盗難防止を図るようにしたものであって，即ち請求項１に記載の発明は，これを，ボックス本体前方の郵便受面に小型郵便物を投入する上位の幅狭投入口と大型郵便物を投入する下位の幅広投入口とによる上下に複数の投入口を配置するとともにボックス本体内の上方に上記上位の幅狭投入口用のトレイを配置することによってボックス本体内に小型郵便物用と大型郵便物用に上下に区画した複数の専用収納部を形成してなることを特徴とする郵便受としたものである。
【０００７】
請求項２に記載の発明は，上記に加えて，ボックス本体のトレイで区分された小型郵便物専用の収納部から小型郵便物を後方の取出面側で取り出すには，該収納部を手探りする必要が生じる可能性があり，何が入っているか不明の該収納部に手を差し入れて手探りすることには，特に主婦等には抵抗を感じることも多いから，ボックス本体の上方に配置したトレイを取出面側に下向きに傾斜させて小型郵便物をトレイの取出面側に落下させ又はトレイをボックス本体から引き出して，手探りをすることなく容易に小型郵便物を取り出し得るものとするように，これを，上記トレイを，ボックス本体後方の取出面側に対して傾斜自在又は引出自在に配置してなることを特徴とする請求項１に記載の郵便受としたものである。
【０００８】
請求項３に記載の発明は，同じく上記に加えて，上記トレイを同様に下向き傾斜し得るようにするとともにそのトレイの支持と傾斜を，可及的簡易な構造により該トレイを取出面側においてスライド操作することによって可及的容易且つ確実になし得るものとするように，これを，上記トレイを，ボックス本体前方の郵便受面側壁面に対向配置したスライド係合部を有する支持部材と，該支持部材位置でトレイに起立配置し上記スライド係合部に前後スライド係合自在にして前後方向に水平支持用の水平係合部及び傾斜支持用の傾斜係合部とを有するトレイ側係合部とを備えてボックス本体後方の取出面側に傾斜自在としてなることを特徴とする請求項２に記載の郵便受としたものである。
【０００９】
請求項４に記載の発明は，同じく上記に加えて，上記支持部材によるトレイの支持を可及的簡単な構造にして低コストで確実な作動をなし得るものとするように，これを，上記支持部材のスライド係合部を，ボックス本体の壁面に対向配置したプレート状の支持部材に上向き水平のＵ字溝とし，上記トレイ側係合部を該トレイの幅方向両側に起立した起立壁に切欠き形成又は打抜き形成した透孔の切欠き上縁を倒Ｓ字状に画して上記Ｕ字溝に前後方向スライド自在に引掛け係合することによってトレイの水平と傾斜の角度を自在とする郵便受面側配置の傾斜切欠き縁部とこれにガイド縁部を介して連続する取出面側配置の水平切欠き縁部によるものとしてなることを特徴とする請求項３に記載の郵便受としたものである。
【００１０】
請求項５に記載の発明は，同じく上記に加えて，上記と同様に，上記トレイを下向き傾斜するについてそのトレイの支持と傾斜を，可及的簡易な構造により該トレイの取出面側においてスライド操作することによって可及的簡易且つ確実になし得る他の形態を示すように，これを，上記トレイを，ボックス本体前方の郵便受面側壁面に対向配置した水平片と垂直片を有する支持部材と，該支持部材位置でトレイに起立配置し上記垂直片に前後スライド係合するとともに前方の郵便受面側のスライド係合位置で上記水平片の下面に上縁を水平支持し且つ後方の取出面側のスライド係合位置で該水平片の水平支持を解除して傾斜自在とする係合部付き起立壁とを備えてなることを特徴とする請求項２に記載の郵便受としたものである。
【００１１】
請求項６に記載の発明は，同じく上記に加えて，上記支持部材によるトレイの支持を可及的簡単な構造にして低コストで確実な作動をなし得るものとするように，これを，上記支持部材の垂直片が，水平片より後方の取出面側に突出した横向き水平のスライド長孔を備え，上記起立壁の係合部が起立壁の側方に向けて突設した係合ピンを備え，上記スライド長孔に該係合ピンを係合するとともに該係合ピンがスライド長孔の上記水平片より取出面側に突出した位置にあるとき上記起立壁の傾斜を自在としてなることを特徴とする請求項３に記載の郵便受としたものである。
【００１２】
請求項７に記載の発明は，同じく上記に加えて，郵便受けの小型収納部及び大型収納部を取出面側に設置した単一の取出蓋を開成することによって同時に開放してその双方を取り出し得て使い勝手のよいものとするように，これを，上記ボックス本体が，その郵便取出面に単一の取出蓋を備え，該取出蓋を開成することによって上記複数の収納部を同時に開放自在としてなることを特徴とする請求項１に記載の郵便受としたものである。
【００１３】
本発明はこれらをそれぞれ発明の要旨として上記課題解決の手段としたものである。
【発明の効果】
【００１４】
本発明は以上のとおりに構成したから，請求項１に記載の発明は，小型郵便物を専用に投入する幅狭投入口と，商品カタログ，雑誌等の比較的厚く大型の大型郵便物を専用に投入する幅広投入口の複数の投入口を配置し，このうち幅狭投入口を上位に，幅広投入口を下位にそれぞれ設置して該上位の幅狭投入口から投入した小型郵便物を載置支持するトレイをボックス本体内の上方に配置することにより，該ボックス本体内を小型と大型の郵便物用に複数の専用収納部に区分し，該上位の幅狭投入口から投入した小型郵便物をその専用の収納部をなすトレイ上に受けて，これが大型郵便物専用の収納部に落下してこれと混在するのを防止し，数ｃｍ程度の幅をなす幅広投入口から手を挿入しても，トレイによって仕切られた該トレイ上の小型郵便物を抜き取ることができないようにして，投入した郵便物，特に上記封書やハガキ等の信書の類いの盗難を防止し，そのセキュリティーを確保し得るようにした郵便受を提供することができる。
【００１５】
請求項２に記載の発明は，上記に加えて，ボックス本体の上方に配置したトレイを取出面側に下向きに傾斜させて小型郵便物をトレイの取出面側に落下させ又はトレイをボックス本体から引き出して，手探りをすることなく容易に小型郵便物を取り出し得るものとすることができる。
【００１６】
請求項３に記載の発明は，同じく上記に加えて，上記トレイを同様に下向き傾斜し得るようにするとともにそのトレイの支持と傾斜を，可及的簡易な構造によって該トレイを取出面側においてスライド操作することによって可及的容易且つ確実になし得るものとすることができる。
【００１７】
請求項４に記載の発明は，同じく上記に加えて，上記支持部材によるトレイの支持を可及的簡単な構造にして低コストで確実な作動をなし得るものとすることができる。
【００１８】
請求項５に記載の発明は，同じく上記に加えて，上記トレイを同様に下向き傾斜し得るようにするとともにそのトレイの支持と傾斜を，可及的簡易な構造によって該トレイを取出面側においてスライド操作することによって可及的容易且つ確実になし得るものとすることができる。
【００１９】
請求項６に記載の発明は，同じく上記に加えて，上記支持部材によるトレイの支持を可及的簡単な構造にして低コストで確実な作動をなし得るものとすることができる。
【００２０】
請求項７に記載の発明は，同じく上記に加えて，郵便受けの小型収納部及び大型収納部を取出面側に設置した単一の取出蓋を開成することによって同時に開放してその双方を取り出し得て使い勝手のよいものとすることができる。
【発明を実施するための最良の形態】
【００２１】
以下図面の例に従って本発明を更に具体的に説明すれば，図１乃至図４において，Ａは例えば金属製とした郵便受であり，該郵便受Ａは，ボックス本体１前方の郵便受面に小型郵便物を投入する上位の幅狭投入口３と大型郵便物を投入する下位の幅広投入口６とによる上下に複数の投入口を配置するとともにボックス本体１内の上方に上記上位の幅狭投入口３用のトレイ１１を配置することによってボックス本体１内に小型郵便物用と大型郵便物用に上下に区分した複数の専用収納部８，９を形成したものとしてあり，本例にあって上記ボックス本体１は，その郵便取出面に単一の取出蓋１０を備え，該取出蓋１０を開成することによって上記複数の収納部８，９を同時に開放自在としたものとしてある。
【００２２】
本例のボックス本体１は，例えば上面を曲面とし，正面を閉塞して前方の郵便受面として，背面に開閉自在の取出蓋１０を配置することによってして蒲鉾型の郵便受Ａをなすものとしてあり，このとき前方の郵便受面に，本例にあって上下に２つの横向きの投入口３，６を水平に，例えば上下２段の複数段に並列するように平行配置し，上位の投入口３を幅狭，例えば指の入らない１ｃｍ程度以下，本例にあっては数ｍｍ程度の上下に幅狭としてこれを小型郵便物投入用の投入口とし，下位の投入口６を幅広，例えば数ｃｍ程度の同じく上下に幅広として，これを大型郵便物投入用の投入口としてあり，このとき本例の上記上位の幅狭投入口３は，その長さを，上記下位の幅広投入口６より短寸のものとし，例えば１５ｃｍ程度とする一方，幅広投入口６の長さを長寸とし，例えばＡ４サイズのカタログ等の投入にも支障のないように２５〜３０ｃｍ程度としてあり，また本例の上記幅狭投入口３は，その長手方向中央に幅を拡大することによって指先を差し込み可能とした透孔４を設置し，該投入口３が幅狭であるために小型郵便物が投入口３近傍に引掛り状に半入れ状態となったときに，これをその専用収納部８に差し入れ得るようにしてある。
【００２３】
ボックス本体１の各投入口８，９の背面には，例えば図示省略のヒンジによって吊り支持し，同じく図示省略のスプリングによって各投入口８，９側に付勢した開閉蓋５，７を設置してあり，これによって雨水の吹込みや塵埃の侵入を防止するようにしてある。
【００２４】
ボックス本体１の上方，特に上記幅狭投入口３の開口下端より幾分下位には上記幅狭投入口３用のトレイ１１を水平に配置してその上面側を小型郵便物の水平受皿としてその専用収納部８とするとともに該トレイ１１下位のボックス本体１内を大型郵便物の専用収納部９として，これらを上下に区分し，各投入口３，６から投入した郵便物を各専用収納部８，９にそれぞれ区分収納し，上記開閉蓋１０を開いてこれら専用収納部８，９から区分収納した各郵便物を取出し自在としてある。
【００２５】
本例においてトレイ１１は，上記上面を曲面としたボックス本体１の該曲面部分に水平に配置し，横幅を上記幅狭投入口３より幾分長寸に，奥行をボックス本体１の奥行長さより幾分短寸にし，両側にその側面を長手方向に一連に立ち上げて形成した起立壁１５を有する断面上向きＵ字状のものとし，またその皿面に補強用のリブ１３と，例えば郵便受面側及び取出面側の端部にそれぞれ皿面に切欠き加工を施すことによって皿面側に向けて傾斜起立した単一乃至複数の傾斜片１４を備え，該傾斜片１４によって起立壁１５とともにトレイ１１の外周を画して小型郵便物の保持を行うものとしてある。
【００２６】
このとき上記トレイ１１は，これを，例えばボックス本体１内前方の郵便受面側で片持ち支持するようにして，ボックス本体１後方の取出面側に対して傾斜自在に配置してあり，これにより取出蓋１０を開いて該トレイ１１上の小型郵便物を取出すに際して，該トレイ１１を傾斜し内部の小型郵便物をトレイ１１の皿面をスライド状に取出面側に滑らせて，例えばトレイ１１を手探りすることなく容易にその有無の確認と取出しをなし得るようにしてあり，このとき上記傾斜片１４，特に取出面側の傾斜片が小型郵便物をトレイ１１上に受止めするストッパーをなすことによって，傾斜時に該小型郵便物が郵便受Ａから外部に落下するのを防止し得るようにしてある。
【００２７】
本例のトレイ１１は，これを，ボックス本体１前方の郵便受面側壁面に対向配置したスライド係合部を有する支持部材２０と，該支持部材２０位置でトレイ１１に起立配置し上記スライド係合部２３に前後スライド係合自在にして前後方向に水平支持用の水平係合部２６及び傾斜支持用の傾斜係合部２７とを有するトレイ側係合部２５とを備え，これを上記片持ち支持の手段として，ボックス本体１後方の取出面側に傾斜自在としたものとし，本例にあって該支持部材２０のスライド係合部２３は，これを，ボックス本体１の壁面に対向配置したプレート状の支持部材２０に形成した上向き水平のＵ字溝とし，上記トレイ側係合部２５を該トレイ１１の幅方向両側に起立した起立壁１５に切欠き形成又は打抜き形成した透孔２９の切欠き上縁を倒Ｓ字状に画して上記Ｕ字溝に前後方向スライド自在に引掛け係合することによってトレイ１１の水平と傾斜の角度を自在とする郵便受面側配置の上記傾斜係合部２７をなす傾斜切欠き縁部とこれにガイド縁部２８を介して連続する取出面側配置の上記水平係合部をなす水平切欠き縁部２６によるものとしてある。
【００２８】
即ち本例におけるトレイ１１の傾斜自在の支持は，上記曲面をなす上面の天壁面から一対の支持部材２０としてピース金具によるブラケットを垂下設置し，これに設置したＵ字溝にトレイ１１を載置支持することによって行なってあり，このとき該支持部材２０のブラケットは，上端の固定片２１と，該固定片２１から垂下した垂下片２２と，該垂下片２２の下端を上向きに曲成して該垂下片２２に設置した上記Ｕ字溝とを備えたピース金具とし，その上記固定片２１をボックス本体１の上部壁面をなす天壁の内壁面に溶着する等して，上記Ｕ字溝を対向方向に向けた状態に一対を固定してトレイ１１の支持を行うものとしてある。
【００２９】
一方トレイ側係合部２５は，本例において上記一連に立上げ形成した起立壁１５の支持部材２０対応位置を打ち抜き形成することによって設置した透孔２９の切欠き上縁によって形成してあり，このとき該透孔２９は，例えば郵便受面側の三角形とその底辺延長線上の取出面側に延設した一側の溝とによる特異形状の打抜き透孔とし，これによって該透孔２９の切欠き上縁を三角形と上記延設した一側の溝とによる倒Ｓ字状をなす如くに形成し，上記三角形の郵便受面側斜辺を上記傾斜切欠き縁部２７，同じく三角形の取出面側斜辺を上記ガイド縁部２８，底辺延長線上の溝においける上縁を水平切欠き縁部２７としてある。
【００３０】
支持部材２０によるトレイ１１の支持は，一対の支持部材２０の曲成部分をトレイ１１両側の打抜き透孔を通過してトレイ１１両側に突出するようにしてその切欠き上縁によるトレイ側係合部２５を上向き水平のＵ字溝に落し込み状に嵌め込んで，該Ｕ字溝が切欠き上縁を下支え状に受止め支持するように，その水平切欠き縁部２６と傾斜切欠き縁部２７を該Ｕ字溝に摺動可能とするように移動自在に載置係合することによって，これを行なってあり，従って水平切欠き縁部２６が上向き水平のＵ字溝に係合したときにトレイ１１を支持部材２０に水平状態に片持ち状に支持し，傾斜切欠き縁部２７が該上向き水平のＵ字溝に係合し，トレイ１１を後方の取出面側に向けて下降した傾斜状態に片持ち状に支持するようにしてあり，これによってトレイ１１を郵便受面側に押し込みその水平切欠き縁部２６がＵ字溝に載置して係合した水平の支持を郵便受Ａにおけるトレイ１１配置の常態とし，また小型郵便物の取出しに際してはトレイ１１を上記水平係合部２６の長さ分取出面側に引き出し，ガイド縁部２８を経て傾斜切欠き縁部２７がＵ字溝に載置して係合した所定角度の傾斜状態とし得るようにしてある。
【００３１】
このとき本例の支持部材２０にあっては，その垂下片２２に，支持部材２０の設置状態で対向方向に低突出した小突起２４を突設して具備する一方，トレイ１１の起立壁１５における対応位置に小孔３０を凹陥状に穿設し又は透設して具備し，上記水平切欠き縁部２６が上向き水平のＵ字溝に載置して係合したときにこれらが相互に嵌合するようにし，これによってトレイ１１が定位置で水平に支持された状態で該トレイ１１を安定保持して，例えば道路振動等によってトレイ１１がボックス本体１内で揺動したり，トレイ１がボックス本体１内で移動したりするのを防止して，トレイ１１支持の安定化を図ったものとしてある。
【００３２】
以上のように構成した本例の郵便受Ａは，トレイ１１によって各専用収納部８，９を上下に区分することにより，各投入口３，６からの郵便物を，上方の幅狭投入口３からの小型郵便物はトレイ１１上の小型郵便物用の専用収納部８に，その下位の幅広投入口６からの大型郵便物はトレイ１１下のボックス本体１の大半を占める大型郵便物用の専用収納部９にそれぞれ区分収納して，小型郵便物が大型郵便物に混ざることなく別に収納保持されるため，大型郵便物に紛れて見落としたりすることもなく容易に見分けることができる。また幅広投入口６から手を挿入しても，小型郵便物は大型郵便物とは区分されてトレイ１１上の専用収納部８に収納されるとともに該トレイ１１が各専用収納部８，９を区分する仕切り壁をなし，従って該収納部８に収納された小型郵便物を抜き取ることができず，特に小型郵便物をその盗難から有効に保護することができる。更にトレイ１１は傾斜自在とすることによって，トレイ１１上の小型郵便物用の専用収納部８を比較的薄く形成しても，これを手探りして郵便物の有無を確認する必要がなく，トレイ１１を幾分引き出すように操作して傾斜させることにより小型郵便物の有無の確認と取出しが可能となり，このときトレイ１１の受面に傾斜片１４を配置したから，その郵便受面側の傾斜片が引き出しに際して小型郵便物を保持してこれが大型郵便物の専用収納部９に落下するのを防止するとともにその取出面側の傾斜片１４が，上記トレイ１１の傾斜時の落下防止用のストッパーをなして，小型郵便物の郵便受Ａ外への落下を有効に防止できる。
【００３３】
図５及び図６は，同様にトレイ１１を，例えば長方形の矩形としたボックス本体１後方の取出面側に片持ち手段によって傾斜自在とするについての他の例を示したもので，本例にあってトレイ１１は，これを，ボックス本体１前方の郵便受面側壁面に対向配置した水平片３２と垂直片３３を有する支持部材３１と，該支持部材３１位置でトレイ１１に起立配置し上記垂直片３３に前後スライド係合するとともに前方の郵便受面側のスライド係合位置で上記水平片３１の下面に上縁を水平支持し且つ後方の取出面側のスライド係合位置で該水平片３１の水平支持を解除して傾斜自在とする係合部付き起立壁１５とを備えたものとしてあり，本例において上記支持部材３１の垂直片３３が，水平片３２より後方の取出面側に突出した横向き水平のスライド長孔３４を備え，上記起立壁１５の係合部が起立壁１５の側方に向けて突設した係合ピン３５を備え，上記スライド長孔３４に該合ピン３５を係合するとともに該係合ピン３５がスライド長孔３４の上記水平片３２より取出面側に突出した位置にあるとき上記起立壁１５の傾斜を自在としてある。
【００３４】
本例の支持部材３１は，上記水平片３２と垂直片３３とを，水平片３２が垂直片３３より郵便受面側に幾分突出し，垂直片３３が水平片３２より取出面側に幾分突出するように略同長さにした水平片３２と垂直片３３の位置を相互に変位して縦断面で逆Ｌ字状をなすように，同様にピース金具として形成してあり，垂直片３３にはその面内に横向き水平のスライド長孔３４を，水平片３２下位位置から水平片３２の取出面側への突出位置まで水平に透設して配置して形成したものとしてある。
【００３５】
このときトレイ１１の係合部をなす係合ピン３５は，上記スライド長孔３４の溝幅に応じた径を有して，起立壁１５上端からの寸法を，上記支持部材３１のスライド長孔３４から水平片３２の下面までの寸法と略同等とし，また起立壁１５の郵便受面側の，本例にあって湾曲したコーナーからの寸法を，上記支持部材３１におけるスライド長孔３４から水平片の各郵便受面側端部までの寸法と略同等乃至これより短くした，起立壁１５の上下中間の位置とするように該起立壁１５の郵便受面側の側面端部に側方に向けて突出固定してある。
【００３６】
支持部材３１によるトレイ１１の支持は，一対の支持部材３１を，その水平片３２が対向するように垂直片３３をボックス本体１の側面の側壁に固定設置して，その垂直片３３のスライド長孔３４に，起立壁１５に設置した係合ピン３５を差し込み挿入するようにスライド自在に嵌め込み係合することによって，その傾斜自在の水平支持を行ってある。
【００３７】
本例にあっては係合ピン３５がスライド長孔３４の郵便受面側の前方端部に位置したとき，起立壁１５の上端，即ちその水平の上縁が支持部材３１の水平片３２下面に対して摺動可能となるとともに水平片３２が該起立壁１５の上位に位置して該起立壁１５を上支え状に受止め支持することにより，係合ピン３５のスライド長孔３４に対する係合と起立壁１５上端の水平片３２による受止め支持によってトレイ１１がその郵便受面側で支持部材に水平状態に片持ち状に支持される一方，係合ピン３５がスライド長孔３４の取出面側の後方端部に位置したとき，起立壁１５のコーナーが水平片３２から突出して，係合ピン３５を中心とし且つ該係合ピン３５とコーナーまでの間隔を回動半径として回転して支持部材３１に傾斜状態に片持ち状に支持されるに至る。従って本例にあっても同様に係合ピン３５と起立壁１５の係合による水平支持を郵便受Ａにおけるトレイ１１配置の常態として，小型郵便物の取出しに際してトレイ１１を取出面側に上記スライド長孔３４の長さ分引き出してトレイ１１を回転傾斜して小型郵便物の有無確認とその取出しを容易になし得るようにしてあり，上記例と同様に郵便物の区分収納と，これによる盗難防止，トレイの引き出し傾斜による小型郵便物有無確認や取出しを可能とすることができる。
【００３８】
その余の構成は基本的に上記例と同じであるので，同一符号を付してその重複する説明を省略する。
【００３９】
なお図中２はボックス本体１の郵便受面側を覆うように配置した雨除け用の庇，１２はトレイ１１の取出面側の端部に設置し，トレイ１１の引き出し状態でボックス本体１の底壁に対接して該トレイ１１を所定角度に支持する支持フィンである。
【００４０】
図示した例は以上のとおりとしたが，ボックス本体を縦長矩形の箱体とし，その前方の矩形郵便受面に，例えば横長水平の幅狭投入口を，その下位に縦長垂直の幅広投入口を上下に複数配置すること，このときトレイを矩形郵便受面と略同幅として高さによって各専用収納部を区分すること，上位の幅狭投入口を水平に２つ設置し，下位の幅広投入口を１つ設置する如くに，一方又は双方の投入口の数を変更して郵便受面に複数の投入口を配置すること，トレイを水平に固定したものとすること，トレイをボックス本体後方の取出面側に対して引出自在とすること，該トレイの引出自在を，例えば引出手段としてボックス本体の側壁に対向配置し又は天壁に吊り配置したガイドレールにトレイをスライド移動自在に載置するようにして行なうこと，トレイを傾斜自在とするとき，ボックス本体前方の郵便受面側にトレイを回動自在にヒンジ連結し，ボックス本体後方の取出面側にトレイを水平支持する受止金具を設置し，該受止金具の係脱によってその支持と支持解除を行なうことによって可能とすること，トレイをその周縁に起立壁を一連に起立した上面開口の箱状のものとすること，上記トレイ側係合部を用いた片持ち手段を形成するとき，トレイの郵便受面側に部分的に上向き突起状に起立した起立壁に形成し，またトレイ側係合部を起立壁透孔の上縁を画する水平縁部と傾斜縁部とするとき上記打抜き形成に代えて切欠き形成によって起立壁透孔を配置するようにすること，上記水平片と垂直片を有する支持部材を用いた片持ちの手段を形成するとき，該支持部材の垂直片に係合ピンを配置し，トレイの起立壁にスライド長孔を配置してこれらのスライド係合を行うようにすること，上記ボックス本体が，その郵便取出面に各収納部毎に複数の取出蓋を備えて，該取出蓋を開成することによって上記各複数の収納部を個別に開放自在とすること等を含めて，本発明の実施に当って，ボックス本体，幅狭投入口，幅広投入口，トレイ，こりによって区分する専用収納部，必要に応じて用いる水平の支持部乃至そのスライド溝，トレイ側係合部，乃至その水平縁部と傾斜縁部，単一の取出蓋等の各具体的形状，構造，材質，これらの関係，これらに対する付加等は，上記発明の要旨に反しない限り様々の形態とすることができる。
【図面の簡単な説明】
【００４１】
【図１】郵便受の正面図である。
【図２】そのトレイを水平に支持した状態の郵便受の縦断面図である。
【図３】そのトレイを傾斜した状態の郵便受の縦断面図である。
【図４】そのトレイを水平に支持した状態の郵便受の部分横断面図である。
【図５】他の例に係る郵便受のトレイを水平に支持した状態の縦断面図である。
【図６】そのトレイを傾斜した状態の郵便受の縦断面図である。
【符号の説明】
【００４２】
Ａ  郵便受
１  ボックス本体
３  幅狭投入口
６  幅広投入口
９  専用収納部
１０  取出蓋
１１  トレイ
１５  起立壁
２０  支持部材
２３  スライド係合部
２５  トレイ側係合部
２６  水平係合部
２７  傾斜係合部
３１  支持部材
３２  水平片
３３  垂直片
３４  スライド長孔
３５  係合ピン
【図１】
2005185683.tif 000003
【図２】
2005185683.tif 000004
【図３】
2005185683.tif 000005
【図４】
2005185683.tif 000006
【図５】
2005185683.tif 000007
【図６】
2005185683.tif 000008